(57)【要約】      （修正有）【課題】ヒール部の損傷・汚れ・擦り減り等を低減させることができ、サイズの異なるヒール部にも適応でき、携帯に便利であり、繰り返し使用可能であり、且つ着脱が容易であるヒール保護カバーを提供する。【解決手段】柔軟且つ伸縮可能な筒状の樹脂製カバー本体１６と、前記樹脂製カバー本体の一端部に形成されたヒール部挿入口２０と、を有し、使用時には前記ヒール部挿入口から靴のヒール部１４Ａを挿入し前記ヒール部の外周面に密着して被せて装着し、未使用時には、扁平なリング状に巻き込まれた状態で収納することが可能なようにした。【選択図】図１
0003191924.tif 000002
【実用新案登録請求の範囲】
【請求項１】
柔軟且つ伸縮可能な筒状の樹脂製カバー本体と、前記樹脂製カバー本体の一端部に形成されたヒール部挿入口と、を有し、
使用時には前記ヒール部挿入口から靴のヒール部を挿入し前記ヒール部の外周面に密着して被せて装着し、
未使用時には、扁平なリング状に巻き込まれた状態で収納することが可能なことを特徴とするヒール保護カバー。
【請求項２】
前記樹脂製カバー本体の他端部が閉塞されてなることを特徴とする請求項１記載のヒール保護カバー。
【請求項３】
前記樹脂製カバー本体の他端部に底開口部が形成されてなることを特徴とする請求項１記載のヒール保護カバー。
【請求項４】
前記ヒール部挿入口の周縁部に円周突起が形成されてなることを特徴とする請求項１〜３いずれか１項記載のヒール保護カバー。
【考案の詳細な説明】
【技術分野】
【０００１】
本考案は、靴のヒール部分を保護するためのカバーに関し、特に婦人靴のハイヒールのヒール部分を保護するためのカバーに関する。
【背景技術】
【０００２】
ヒール部の高い婦人靴（例えばハイヒール）を履いて砂利道等を歩行すると、その砂利等によってヒール部に損傷・汚れ・擦り減り等が発生してしまう。
【０００３】
そこで、ヒール部を損傷等から守るためのヒール保護カバー等として、例えば特許文献１〜４に記載のものが提案されている。
【０００４】
しかしながら、市場には様々な種類のヒール部を有する婦人靴があり、ヒール部のサイズも区区である。この点、特許文献１及び２に記載されたヒール保護カバーでは、適合するサイズが決まってしまうため、サイズの異なるヒール部については、サイズの違いに対応できないという問題があった。
【０００５】
また、特許文献３及び４に記載されたヒール保護カバーでは、カバー自体が比較的大きくなってしまい、ポケットなどに入れて手軽に持ち運びし辛いという問題があった。
【０００６】
このように、従来のヒール保護カバーでは、着脱に手間がかかったり、使い捨てで繰り返し使用が不可能であったり、或いはサイズの異なるヒール部に対してはその都度適合するサイズのヒール保護カバーを用意しなければいけなかったり、カバー自体が大きく持ち運びに不便であるといった問題があった。
【先行技術文献】
【特許文献】
【０００７】
【特許文献１】実公昭３７−１５５３５
【特許文献２】実開昭６１−１３１９０１
【特許文献３】特開２００９−２１９５２４
【特許文献４】特開平８−８９３１１
【考案の概要】
【考案が解決しようとする課題】
【０００８】
本考案は、上記した従来技術の問題点に鑑みなされたもので、ヒール部の損傷・汚れ・擦り減り等を低減させることができ、サイズの異なるヒール部にも適応でき、携帯に便利であり、繰り返し使用可能であり、且つ着脱が容易であるヒール保護カバーを提供することを目的とする。
【課題を解決するための手段】
【０００９】
上記課題を解決するために、本考案に係るヒール保護カバーは、柔軟且つ伸縮可能な筒状の樹脂製カバー本体と、前記樹脂製カバー本体の一端部に形成されたヒール部挿入口と、を有し、使用時には前記ヒール部挿入口から靴のヒール部を挿入し前記ヒール部の外周面に密着して被せて装着し、未使用時には、扁平なリング状に巻き込まれた状態で収納することが可能なことを特徴とする。
【００１０】
前記柔軟且つ伸縮可能な筒状の樹脂製カバー本体の材質としては、天然ゴムや合成ゴムなどのゴム、或いは弾性プラスチックやポリウレタン樹脂などの合成樹脂などが適用できる。柔軟且つ伸縮可能であるため、ヒール部のサイズが異なっても同一品にて対応可能である。前記樹脂製カバー本体の厚さとしては、０．１ｍｍ〜０．５ｍｍ程度が好適である。また、樹脂製カバー本体の筒状の形状としては、円筒状が好ましい。
【００１１】
本発明では、取付け方法・材質等を工夫することによって、従来技術の問題点を克服したのである。本考案に係るヒール保護カバーは、透明とするのが好ましいが、必要に応じて種々の色に着色してもよい。
【００１２】
前記樹脂製カバー本体の他端部が閉塞されてなるのが好適である。
【００１３】
前記樹脂製カバー本体の他端部に底開口部が形成されてなるように構成することもできる。
【００１４】
前記ヒール部挿入口の周縁部に円周突起が形成されてなるのが好ましい。前記円周突起は、樹脂製カバー本体と同様の材質で一体的に形成されるのが好適である。
【００１５】
本考案に係るヒール保護カバーは、前記樹脂製カバー本体の基部側から徐々に巻き込みながら巻き下げることで、前記ヒール部から脱着することができる。そして、使用時には、前記ヒール部挿入口から靴のヒール部を挿入して前記樹脂製カバー本体の基部側から徐々に巻き上げることで、前記ヒール部の外周面に密着して被せて装着することができる。
【００１６】
このように、ヒール部の外周面に密着して装着することができるため、靴、特に婦人靴（例えばハイヒール）のヒール部の損傷・汚れ・擦り減り等を効果的に低減させることができる。
【００１７】
また、本考案に係るヒール保護カバーは、未使用時にはコンパクトに収納可能であり、保管にかさばらなく、携帯にも便利である。
【００１８】
本考案に係るヒール保護カバーは、上記のように容易に装着又は脱着することができ、また、繰り返して使用することも可能である。
【考案の効果】
【００１９】
本考案に係るヒール保護カバーによれば、ヒール部の損傷・汚れ・擦り減り等を低減させることができ、サイズの異なるヒール部にも適応でき、携帯に便利であり、繰り返し使用可能であり、且つ着脱が容易であるヒール保護カバーを提供することができるという著大な効果を有する。
【図面の簡単な説明】
【００２０】
【図１】本考案のヒール保護カバーの一つの実施の形態を示し、ヒール保護カバーをヒール部に被せた状態を示す斜視図である。
【図２】図１のヒール保護カバーをヒール部から脱着する様子を示す模式図であり、（ａ）が使用時、（ｂ）が脱着時を示す。
【図３】図１のヒール保護カバーに適合する種々のサイズのヒール部を示す模式図である。
【図４】本考案のヒール保護カバーの一つの実施の形態と別の実施の形態を示す斜視図であり、（ａ）が樹脂製カバー本体の他端部が閉塞されてなる形態、（ｂ）が樹脂製カバー本体の他端部に底開口部が形成されてなる形態、を示す。
【図５】本考案のヒール保護カバーの他の実施の形態を示す斜視図である。
【考案を実施するための形態】
【００２１】
以下に本考案の一つの実施の形態を実施例に基づき添付図面を参照して説明する。本考案の技術思想から逸脱しない限りこれらの実施の形態について種々の変更又は変形が可能なことは言うまでもない。なお、同一部材は同一符号で示される。
【００２２】
図１〜図４において、符号１０Ａは本考案に係るヒール保護カバーの一つの実施の形態を示す。ヒール保護カバー１０Ａは、靴１２Ａ（図示例ではハイヒール）のヒール部１４Ａを保護するためのカバーである。
【００２３】
ヒール保護カバー１０Ａは、柔軟且つ伸縮可能な筒状の樹脂製カバー本体１６と、前記樹脂製カバー本体１６の一端部１８に形成されたヒール部挿入口２０と、を有する。図示例では、樹脂製カバー本体１６を、天然ゴムで作製した例を示した。
【００２４】
また、ヒール保護カバー１０Ａでは、前記樹脂製カバー本体１６の他端部２２は、閉塞せしめられている。
【００２５】
そして、図２によく示される如く、使用時には前記ヒール部挿入口２０から靴１２Ａのヒール部１４Ａを挿入し前記ヒール部１４Ａの外周面に密着して被せて装着し（図２（ａ））、脱着時には扁平なリング状に巻き込まれた状態となる（図２（ｂ））。これにより、未使用時には、扁平なリング状に巻き込まれた状態で収納することが可能である。
【００２６】
また、本発明のヒール保護カバーは、サイズの異なるヒール部にも適応可能とされている。図３によく示される如く、靴１２Ａのヒール部１４Ａ，靴１２Ｂのヒール部１４Ｂ，靴１２Ｃのヒール部１４Ｃはそれぞれヒール部のサイズが異なるが、ヒール保護カバー１０Ａは柔軟且つ伸縮可能な筒状の樹脂製カバー本体１６を有しているので、ヒール保護カバー１０Ａだけで上記全てのサイズに適用可能である。
【００２７】
上述のように、ヒール保護カバー１０Ａは、前記樹脂製カバー本体１６の他端部２２は、図４（ａ）によく示される如く、閉塞せしめられており、底部２６を有している。このように、底部２６が形成されている場合には、歩く際の滑り止め機能も有するという利点がある。
【００２８】
また、図４（ｂ）には、本発明の別の実施の形態を示した。図４（ｂ）において、符号１０Ｂは本考案に係るヒール保護カバーの別の実施の形態を示す。
【００２９】
ヒール保護カバー１０Ｂは、柔軟且つ伸縮可能な筒状の樹脂製カバー本体３６と、前記樹脂製カバー本体３６の一端部２８に形成されたヒール部挿入口３０と、を有する。図示例では、樹脂製カバー本体３６を、天然ゴムで作製した例を示した。
【００３０】
また、ヒール保護カバー１０Ｂでは、前記樹脂製カバー本体３６の他端部３２は、開放されており、底開口部３４とされている。このように、他端部３２が開放されて底開口部３４が形成されている場合には、ヒール保護カバーを被せて歩く際の接地部分での摩耗が少なく、耐久性が上がるため、繰り返し使える回数が増える利点がある。
【００３１】
さらに、図５には、本発明の他の実施の形態を示した。図５において、符号１０Ｃは本考案に係るヒール保護カバーの他の実施の形態を示す。
【００３２】
ヒール保護カバー１０Ｃは、柔軟且つ伸縮可能な筒状の樹脂製カバー本体４６と、前記樹脂製カバー本体４６の一端部３８に形成されたヒール部挿入口４０と、を有する。前記樹脂製カバー本体４６の他端部４２は、閉塞せしめられており、底部４４を有している。図示例では、樹脂製カバー本体４６を、天然ゴムで作製した例を示した。
【００３３】
そして、ヒール保護カバー１０Ｃは、前記ヒール部挿入口４０の周縁部に円周突起４８が形成されている。この円周突起４８は樹脂製カバー本体４６と同様の材質で一体的に形成されている。このような円周突起が形成されていると、ヒール保護カバーをヒール部への装着及び脱着がし易くなる利点がある。
【００３４】
なお、図示の例では、本発明に係るヒール保護カバーは、透明とした例を示したが、必要に応じて着色したりしてもよい。
【符号の説明】
【００３５】
１０Ａ，１０Ｂ，１０Ｃ：本発明に係るヒール保護カバー、１２Ａ，１２Ｂ，１２Ｃ：靴、１４Ａ，１４Ｂ，１４Ｃ：ヒール部、１６，３６，４６：樹脂製カバー本体、１８，２８，３８：一端部、２０，３０，４０：ヒール部挿入口、２２，３２，４２：他端部、２６，４４：底部、３４：底開口部、４８：円周突起。
【図１】
0003191924.tif 000003
【図２】
0003191924.tif 000004
【図３】
0003191924.tif 000005
【図４】
0003191924.tif 000006
【図５】
0003191924.tif 000007